(57)【要約】【課題】  ユーザの顔面の向きに応じて照明光を制御できる照明制御システムを提供する。【解決手段】  ユーザの顔面方向を検出する方向検出部５と、照明部１の複数の点灯パターンを顔面方向ごとに記憶する点灯パターンデータベース４と、方向検出部５により検出された顔面方向に対応した点灯パターンとなるように照明部１を制御する制御部２とを備え、点灯パターンは、照明部１から所定方向に対する明るさ、色温度の少なくとも１つを含む。【選択図】      図１
2015069719.tif 000002
【特許請求の範囲】
【請求項１】
ユーザが存在する空間に設置された照明器具を制御する照明制御システムであって、
ユーザの顔面方向を検出する方向検出手段と、
前記照明器具の複数の点灯パターンを前記顔面方向ごとに記憶する点灯パターン記憶手段と、
前記方向検出手段により検出された顔面方向に対応した前記点灯パターンとなるように前記照明器具を制御する制御手段とを備え、
前記点灯パターンは、前記照明器具から所定方向に対する明るさ、色温度の少なくとも１つを含むこと
を特徴とする照明制御システム。
【請求項２】
前記所定方向は、前記照明器具に対する顔面正面方向、前記方向検出手段により検出可能な顔面の逆方向、前記方向検出手段により検出可能な顔面の左右方向であることを特徴とする請求項１に記載の照明制御システム。  
【発明の詳細な説明】
【技術分野】
【０００１】
本発明は、ユーザの状態に応じて照明を制御する照明制御システムに関する。
【背景技術】
【０００２】
ユーザの状態に応じて照明を制御する技術としては、下記の特許文献１が知られている。
【０００３】
この特許文献１には、配光方向と配光範囲とを任意に可変できる照明装置が記載されている。この照明装置は、配光方向と配光範囲とを任意に変更するために、一対の対向する面発光照明ユニットを回動保持手段によって互に線状光源の収納部を中心として所望の角度に回動可能に保持させている。
【先行技術文献】
【特許文献】
【０００４】
【特許文献１】特開平０５−００６７０４２
【発明の概要】
【発明が解決しようとする課題】
【０００５】
しかしながら、上述した照明装置は配光特性を変化させることができるものの、照明に対するユーザの顔面の向きに応じて適切に照明光を制御できなかった。
【０００６】
そこで、本発明は、上述した実情に鑑みて提案されたものであり、ユーザの顔面の向きに応じて照明光を制御できる照明制御システムを提供することを目的とする。
【課題を解決するための手段】
【０００７】
本発明の第１の態様に係る照明制御システムは、ユーザが存在する空間に設置された照明器具を制御する照明制御システムであって、ユーザの顔面方向を検出する方向検出手段と、前記照明器具の複数の点灯パターンを前記顔面方向ごとに記憶する点灯パターン記憶手段と、前記方向検出手段により検出された顔面方向に対応した前記点灯パターンとなるように前記照明器具を制御する制御手段とを備え、前記点灯パターンは、前記照明器具から所定方向に対する明るさ、色温度の少なくとも１つを含むことを特徴とする。
【０００８】
本発明の第２の態様に係る照明制御システムは、前記所定方向は、前記照明器具に対する顔面正面方向、前記方向検出手段により検出可能な顔面の逆方向、前記方向検出手段により検出可能な顔面の左右方向であることを特徴とする。
【発明の効果】
【０００９】
本発明によれば、ユーザの顔面の向きに応じて照明光を制御できる。
【図面の簡単な説明】
【００１０】
【図１】本発明の実施形態として示す照明制御システムの構成を示すブロック図である。
【図２】本発明の実施形態として示す照明制御システムにおいて、所定の空間におけるユーザの顔面方向を検出する構成を示す図である。
【図３】本発明の実施形態として示す照明制御システムにおいて、（ａ）はユーザの顔面方向を平面において検出する図であり、（ｂ）はユーザの顔面方向を正面にて検出する図である。
【図４】本発明の実施形態として示す照明制御システムにおいて、検出された顔面方向に対する点灯パターンを記憶した点灯パターンデータベースを示す図である。
【図５】本発明の実施形態として示す照明制御システムにおいて、所定の空間における顔面方向に対する照明部の顔面正面方向Ａ、顔面逆方向Ｂ、顔面左右方向Ｃを示す図であり、（ａ）はユーザの顔面方向が下方向、（ｂ）はユーザの顔面方向が上方向、（ｃ）はユーザの顔面方向が左方向、（ｄ）はユーザの顔面方向が右方向である様子を示す。
【図６】本発明の実施形態として示す照明制御システムにおいて、照明部、ユーザの位置関係の一例を説明する図である。
【図７】本発明の実施形態として示す照明制御システムにおいて、照明部、ユーザの位置関係の他の一例を説明する図である。
【図８】本発明の実施形態として示す照明制御システムにおいて、検出された顔面方向に対する点灯パターンを記憶した他の点灯パターンデータベースを示す図である。
【図９】本発明の実施形態として示す照明制御システムにおいて、複数のユーザが所定の空間いる様子を示す図である。
【図１０】本発明の実施形態として示す照明制御システムにおいて、ユーザが読書しているときの照射光の状態を示す図である。
【図１１】本発明の実施形態として示す照明制御システムにおいて、（ａ）はユーザの顔面方向が上方向であるときの点灯パターンであり、（ｂ）はユーザの顔面方向が右方向であるときの点灯パターンである。
【発明を実施するための形態】
【００１１】
以下、本発明の実施の形態について図面を参照して説明する。
【００１２】
本発明の実施形態として示す照明制御システムは、例えば図１に示すように構成される。この照明制御システムは、照明部１、制御部２、点灯パターン判断部３、点灯パターンデータベース４、及び、方向検出部５を有する。制御部２、点灯パターン判断部３、点灯パターンデータベース４、及び、方向検出部５は、例えばマイクロコンピュータ等を含んで構成されている。
【００１３】
なお、照明制御システムにおいて、照明部１、制御部２、点灯パターン判断部３、点灯パターンデータベース４、方向検出部５の設置位置は、任意でよい。すなわち、例えばシーリングライトとしての照明部１が制御部２及び点灯パターン判断部３と共に天井に設けられ、点灯パターンデータベース４及び方向検出部５はシーリングライトと別体であってもよい。
【００１４】
照明部１は、例えば家庭内の各部屋に設置される照明器具である。照明部１は、部屋の天井に設けられたシーリングライトにより実現可能である。照明部１は、シーリングライトに限らず、任意の箇所に設けられたスポットライト等であってもよい。照明部１は、少なくとも照明光の明るさ、色の一つが変更可能なものである。さらに、照明部１は、設置箇所からの方向ごとに、照明光の明るさ、色が変更可能である。
【００１５】
照明部１は、制御部２からの制御信号によって、点灯パターンが制御される。この点灯パターンは、照明部１から所定方向に対する明るさ、色温度の少なくとも１つを含む。また、点灯パターンは、照明部１の設置箇所からの所定方向に対する照明光の明るさ、色の組み合わせであってもよい。これにより、照明部１は、照明部１が設けられた空間における照度、色を調整できる。
【００１６】
方向検出部５は、ユーザの顔面方向を検出する。この方向検出部５は、例えば図２に示すように照明部１としてのシーリングライトの側部に設けられたカメラ装置により実現できる。このカメラ装置は、所定の空間１００において所定範囲５ａを撮像対象とする。これにより、カメラ装置は、所定の空間１００にいるユーザＰを撮像する。
【００１７】
方向検出部５は、図３（ａ）に示すように、所定の空間１００においてユーザＰが視線Ｓを向けている水平角Ｄｐを検出する。この水平角Ｄｐは、所定の水平方向に対する角度によって表される。この所定の水平方向は、例えば照明部１に対して一義的に設定されている。水平角Ｄｐは、例えば０度〜３６０度の範囲で表される。
【００１８】
さらに、方向検出部５は、図３（ｂ）に示すように、所定の空間１００においてユーザＰが視線Ｓを向けている鉛直角Ｄｖを検出する。この鉛直角Ｄｖは、所定の鉛直方向に対する角度によって表される。この所定の鉛直方向は、例えばユーザＰの顔面高さから水平に伸びる方向に設定される。鉛直角Ｄｖは、例えばユーザが真下を向いている−９０度〜真上を向いている９０度の範囲で表される。
【００１９】
点灯パターン判断部３は、方向検出部５により検出された顔面方向に基づいて照明部１の点灯パターンを判断する。このとき、点灯パターン判断部３は、点灯パターンデータベース４に記憶された複数の点灯パターンのうち、方向検出部５により検出された顔面方向に対応した点灯パターンを選択する。選択された点灯パターンは、制御部２に供給される。
【００２０】
点灯パターンデータベース４は、複数の点灯パターンを、方向検出部５により検出可能な顔面方向ごとに記憶している。この点灯パターンデータベース４は、照明部１の調整時において、点灯パターン判断部３によって参照される。
【００２１】
点灯パターンデータベース４は、例えば図４に示すように構成されている。点灯パターンデータベース４は、方向検出部５により検出可能な顔面方向に、点灯パターンが対応づけられている。この点灯パターンは、照明部１から所定方向に対する明るさ、色の少なくとも１つを含む。
【００２２】
この所定方向は、図５に示すように、照明部１に対する顔面正面方向Ａ、当該顔面正面方向Ａに対する逆方向（顔面逆方向Ｂ）、当該顔面正面方向Ａに対する左右方向（顔面左右方向Ｃ）を含む。顔面逆方向Ｂは、顔面正面方向Ａから１８０度の角度を成している。顔面左右方向Ｃは、顔面正面方向Ａから９０度の角度を成している。
【００２３】
この所定方向は、図５（ａ）乃至図５（ｄ）に示すように、方向検出部５により検出される顔面方向によって異なる。図５（ａ）の所定の空間１００において、図中上方から中央に向けた顔面方向となっている場合、点灯パターンデータベース４における顔面正面方向Ａは中央から上方向となる。同様に、図５（ｂ）の所定の空間１００において、図中下方から中央に向けた顔面方向となっている場合、点灯パターンデータベース４における顔面正面方向Ａは下方向となる。同様に、図５（ｃ）の所定の空間１００において、図中右方から中央に向けた顔面方向となっている場合、点灯パターンデータベース４における顔面正面方向Ａは中央から右方向となる。同様に、図５（ｄ）の所定の空間１００において、図中左方から中央に向けた顔面方向となっている場合、点灯パターンデータベース４における顔面正面方向Ａは中央から左方向となる。
【００２４】
なお、点灯パターンデータベース４は、予め設定した照明シーンごとに設けられていてもよい。この照明シーンは、例えば読書（勉強）シーン、映画（テレビ視聴）シーン等が挙げられる。点灯パターンデータベース４は、ユーザＰの顔面方向に拘わらず、ユーザＰに同じ照明シーンを感じさせるように顔面正面方向Ａ、顔面逆方向Ｂ、顔面左右方向Ｃの点灯パターンが設定されている。
【００２５】
これにより、図５（ａ）乃至図５（ｄ）に示すようにユーザＰの顔面方向が変化しても、当該顔面の変化に応じた点灯パターンを選択できる。
【００２６】
上述した点灯パターンデータベース４において、方向検出部５により検出される顔面方向には、これら３つの点灯パターンが対応づけられている。これら複数の点灯パターンは、顔面正面方向Ａの点灯パターン、顔面逆方向Ｂの点灯パターン、顔面左右方向Ｃの点灯パターンが含まれる。なお、３つの方向に限らず、さらに多くの方向について点灯パターンが設定されていてもよい。
【００２７】
例えば図６に示すように照明部１の顔面正面方向ＡにユーザＰが着座し、顔面逆方向ＢにテレビＴＶが設置されているとする。このような室内状況において、方向検出部５は、ユーザＰの顔面を含むカメラ画像を取得する。これにより、方向検出部５は、ユーザＰの顔面方向を検出できる。
【００２８】
すると、制御部２は、方向検出部５により検出された水平角Ｄｐ及び鉛直角Ｄｖに対応した顔面正面方向Ａに対応した明るさ及び色を、点灯パターンデータベース４から読み出す。これにより、制御部２は、顔面正面方向Ａに対応した明るさ及び色となるように調光及び調色を行う。
【００２９】
以上のように、照明制御システムは、現在のユーザＰの顔面正面に対して適切な顔面正面方向Ａの照明光Ｌを照射できる。なお、図６には顔面逆方向Ｂ、顔面左右方向Ｃの照明光を図示していないが、点灯パターンデータベース４に記憶された明るさ及び色の照明光が照射されている。
【００３０】
なお、図４に示した点灯パターンデータベース４には、照明部１の下方向（Ｄ）についての明るさ及び色は記憶されていない。しかし、点灯パターンデータベース４には、方向検出部５により検出可能な顔面正面に対応して、照明部１の下方向（Ｄ）についての明るさ及び色を記憶してもよい。
【００３１】
例えば、図７に示すように、ユーザＰがベッドに仰向けになっている状況がある。この場合、照明部１から真下Ｄに向けて照射される照明光Ｌを調整できるようにする。このために、点灯パターンデータベース４は、鉛直角Ｄｖが９０度、水平角Ｄｐが任意である顔面方向に対応して、照明部１から真下Ｄに向けて照射される照明光Ｌの明るさ及び色の点灯パターンを記憶しておく。
【００３２】
このような照明制御システムは、方向検出部５によってユーザＰの顔面正面として水平角Ｄｐ及び鉛直角Ｄｖが検出されると、照明部１の所定方向に対する点灯パターンを決定する。したがって、この照明制御システムによれば、現在のユーザＰの顔面正面にとって好ましい照明光を、照明部１の顔面正面方向Ａ、顔面逆方向Ｂ、及び、顔面左右方向Ｃに照射できる。
【００３３】
以上のように、本実施形態として示した照明制御システムは、ユーザＰが存在する空間１００に設置された照明器具(1)を制御する。この照明制御システムは、ユーザＰの顔面方向を検出する方向検出手段(5)を有する。さらに照明制御システムは、照明器具(1)の複数の点灯パターンを顔面方向ごとに記憶する点灯パターン記憶手段(4)を有する。さらに照明制御システムは、方向検出手段(5)により検出された顔面方向に対応した点灯パターンとなるように照明器具(1)を制御する制御手段(2)を備える。この照明制御システムにおいて、点灯パターンは、照明器具(1)から所定方向に対する明るさ、色温度の少なくとも１つを含む。
【００３４】
このような照明制御システムによれば、現在の顔面方向に応じて、照明部１の各方向に対して好ましい照明光を照射する点灯パターンを選択することができる。したがって、この照明制御システムによれば、ユーザの顔面の向きに応じて照明光を制御できる。
【００３５】
このようにユーザＰの顔面方向に応じて点灯パターンを変更することによって、ユーザＰが照明部１に対して顔面方向を変更しても、照明のパターンが変わることを抑制できる。このため、ユーザＰの網膜上の配光分布が大きく変化しないために、顔の向きの変化により生じる明るさ感やあかりに対する印象をある程度保つことが可能となる。
【００３６】
この照明制御システムにおいて、所定方向は、方向検出手段(5)により検出された顔面方向、方向検出手段(5)により検出された顔面方向とは逆方向、方向検出手段(5)により検出された顔面方向に対する左右方向である。
【００３７】
このような照明制御システムによれば、照明部１における顔面正面方向Ａ、顔面逆方向Ｂ、顔面左右方向Ｃのそれぞれについて、異なる照明光を照射することができる。したがって、この照明制御システムによれば、ユーザの顔面の向きに応じて照明光を制御できる。
【００３８】
さらに、この照明制御システムは、任意の空間１００における上方向及び下方向において点灯パターンを異なるものとしてもよい。この照明制御システムは、例えば図８に示すような点灯パターンデータベース４を備えている。この点灯パターンデータベース４は、照明部１の顔面正面方向Ａ、顔面逆方向Ｂ、顔面左右方向Ｃごとに、上方向の点灯パターンと下方向の点灯パターンとを対応づけている。
【００３９】
このような照明制御システムは、方向検出部５により検出されたユーザＰの顔面方向に対し、顔面正面方向Ａ、顔面逆方向Ｂ、顔面左右方向Ｃごとに上方向と下方向とで異なるような点灯パターンとなるよう照明部１を制御できる。これにより、照明制御システムは、ユーザの顔面の向きに応じて照明部１からの各方向のみならず、所定の空間１００における上下方向においても照明光を制御できる。
【００４０】
さらに、上述した照明制御システムは、図９に示すように、２名以上のユーザＰが所定の空間１００にいる場合にも、方向検出部５によって顔面方向を演算できることが望ましい。この場合、方向検出部５は、各ユーザＰの顔面方向（水平角Ｄｐ及び鉛直角Ｄｖ）の平均を算出する。又は、方向検出部５は、事前に顔を認識させた１名のみの顔面方向を検出するようにしてもよい。
【００４１】
以下、照明制御システムの具体的な効果について説明する。
【００４２】
照明制御システムは、図１０に示した状況において、ユーザＰがテレビＴＶを視聴しているような顔面方向である場合には、テレビＴＶの上方向に照明光Ｌ１を照射できる。ユーザＰがテレビＴＶを視聴しているような顔面方向は、例えば略水平方向となっている状況である。
【００４３】
また、ユーザＰが読書をしている場合、照明制御システムは、ユーザＰの手元（下方向）が明るくなるような照明光Ｌ２を照射できる。ユーザＰが読書しているような顔面方向は、例えば略下方向となっている状況である。
【００４４】
このように照明制御システムは、ユーザＰの視線、行為に合わせて最適な配光を自動で実現できる。
【００４５】
さらに、図７に示したように、ユーザＰが上方向を見ている場合であっても、照明部１を直視した場合のまぶしさを低減するよう、照明光Ｌを明るさが弱い全般光にすることができる。
【００４６】
さらに、図１１に示すように、所定の空間１００において家具が入れ替わってユーザＰの顔面方向が変更しても、当該変更に合わせて点灯パターンを変更させることができる。例えば図１１（ａ）のように、ユーザＰが壁Ａに向かった顔面方向の場合に、当該壁Ａに２つの照明光Ｌ１、Ｌ２を照射している点灯パターンを実現している。
【００４７】
しかし、図１１（ｂ）のようにユーザＰが壁Ｂに向かった顔面方向に変更した場合、当該変更は、方向検出部５によって検出できる。この顔面方向の変更に応じて、点灯パターン判断部３は、変更した顔面方向に対応した点灯パターンを読み出す。これにより、制御部２は、照明光Ｌ１、Ｌ２の照射方向を壁Ｂに変更できる。
【００４８】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００４９】
１  照明部
２  制御部
３  点灯パターン判断部
４  点灯パターンデータベース
５  方向検出部
【図１】
2015069719.tif 000003
【図２】
2015069719.tif 000004
【図３】
2015069719.tif 000005
【図４】
2015069719.tif 000006
【図５】
2015069719.tif 000007
【図６】
2015069719.tif 000008
【図７】
2015069719.tif 000009
【図８】
2015069719.tif 000010
【図９】
2015069719.tif 000011
【図１０】
2015069719.tif 000012
【図１１】
2015069719.tif 000013